(57)【要約】      （修正有）【課題】重量物の重力を利用して、発電の為の必要動力を軽減し、環境汚染防止に役立てる。【解決手段】大回転体１に、自らの軸を中心に回転する歯車２、又は歯車２及び小回転体１２を、大回転体１の重量の均衡を保つ機構に設け、この歯車等に同重量の重量物３を設けることにより、重量物３の重量により歯車等が回転、重量物３が回転移動するにかかわらずその重量は歯車等の軸にのみかかっている為、その重量は移動せず、大回転体１の重量の均衡を保つ事が出来る。この大回転体１の重量の均衡、又は更に整合弾性体装置の利用等によりその回転を容易にし、歯車等を回転させることにより発電機５を作動させ発電する。【選択図】図１
2004320971.tif 000002
【特許請求の範囲】
【請求項１】
（イ）軸を中心に、又はその他の方法により回転する大回転体を設け、この大回転体に、自らの軸を中心に回転する数個又は多数の歯車を、大回転体の重量の均衡を保つ機構に設ける。
（ロ）重量物を、各歯車、又はその何れかに、大回転体の重量の均衡を保つ機構に設ける。
（ハ）コイル、及び永久磁石又は電磁石（以下両者を単に磁石と称する）を利用する、回転式又はその他の方式の発電機を設け、この発電機を、重量物による歯車の回転により作動させ、発電する機構とする。歯車の回転は、重量物の重量に応じ、同時、又は順時、又は一部同時の機構とする。
（ニ）大回転体は水力又は電動、又はその他の方法で回転させる機構とする。
以上の様な機構により、大回転体を回転させることにより、重量物を上にした歯車が回転し、大回転体が回転する毎に重量物を上にした歯車が回転して、発電機を作動させ、発電を続ける様に構成された重力発電機。
【請求項２】
（イ）軸を中心に、又はその他の方法により回転する大回転体を設け、この大回転体に、自らの軸を中心に回転する数個又は多数の、小回転体及び歯車を、大回転体の重量の均衡を保つ機構に設ける。
（ロ）重量物を、小回転体及び歯車に、又はその何れかに、大回転体の重量の均衡を保つ機構に設ける。
（ハ）コイル及び磁石を利用する、回転式又はその他の方式の発電機を設け、この発電機を、重量物による小回転体及び歯車の回転により作動させ、発電する機構とする。
（ニ）大回転体は、火力、又は水力、又は電動、又はその他の方法で回転させる機構とする。
以上の様な機構により、大回転体を回転させることにより、重量物の重力により小回転体及び歯車が回転し、発電機を作動させ、発電を続ける様に構成された重力発電機。
【請求項３】
（イ）軸を中心に、又はその他の方法により回転する大回転体を設け、この大回転体に、自らの軸を中心に回転する数個又は多数の、小回転体及び歯車又はその何れか、及びこの小回転体、歯車等により作動するコイル磁石利用の発電機を、大回転体の重量の均衡を保つ機構に設ける。
（ロ）小回転体及び歯車、又はその何れかに、重量物を、大回転体の重量の均衡を保つ機構に設ける。
（ハ）大回転体は、火力、又は水力、又は電動、又はその他の方法により回転させる機構とする。
以上の様な機構により、大回転体を回転させることにより、重量物の重力により小回転体及び歯車、又はその何れかが回転し、発電機を作動させ発電を続ける様に構成された重力発電機。
【請求項４】
（イ）請求項１、イ、ロ、ハ、ニ、記載同様の装置を設け、更に大回転体自体に重量物を設けるか、又は、請求項１、ロ、記載同様の重量物の一部の重量物の重量を変更し、大回転体自体に重量物を設けた状態の機構と同様の機構とする。
（ロ）複数の弾性体を、回動可能な複数の取付器具に取付けて、周回連繋した機構の装置を設け、この装置の弾力が、大回転体に生ずる、重量物やその他による、主として重量による回転の際の作動負荷と、釣合状態、又は、強弱の割合の一定範囲の同一、を保ち得る機構の装置（以下この機構の装置を整合弾性体装置と称する）とする。又は単体の弾性体を利用して同機構の装置とする。
以上の様な機構により、大回転体の重量の均衡を、更に整合弾性体装置により、上方えの張力との釣合状態等に替えた、請求項１記載同様の重力発電機。
【請求項５】
（イ）請求項２、イ、ロ、ハ、ニ、記載同様の装置を設け、更に大回転体自体に重量物を設けるか、又は、請求項２、ロ、記載同様の重量物の一部の重量物の重量を変更し、大回転体自体に重量物を設けた状態の機構と同様の機構とする。
（ロ）請求項４、ロ、記載同様の機構の整合弾性体装置、又は単体の弾性体を利用した同様の機構の装置を設ける。
以上の様な機構により大回転体の重量の均衡を、更に整合弾性体装置により上方えの張力との釣合状態等に替えた、請求項２、記載同様の重力発電機。
【請求項６】
（イ）請求項３、イ、ロ、ハ、記載同様の装置を設け、更に大回転体自体に重量物を設けるか、又は、請求項３、ロ、記載同様の重量物の一部の重量物の重量を変更し、大回転体自体に重量物を設けた状態の機構と同様の機構とする。
（ロ）請求項４、ロ、記載同様の機構の整合弾性体装置、又は単体の弾性体を利用した同様の機構の装置を設ける。
以上の様な機構により大回転体の重量の均衡を、更に整合弾性体装置により上方えの張力との釣合状態等に替えた、請求項３、記載同様の重力発電機。
【発明の詳細な説明】
【０００１】
【産業上の利用分野】
この発明は発電機の分野に利用する。
【０００２】
【従来の技術】
整合弾性体装置  特開２００１−３２７６３
発電機関係      特願２００１−１５１７３２
上  同        特願２００２−３４４６６９
重力発電        出願人  前田開造  平成１５年３月１１日特許出願  Ｐ００３−０１
【０００３】
【発明が解決しようとする課題】
重量物の重力を利用して、発電の為の必要動力を軽減し、環境汚染防止に役立てる。
【０００４】
【課題を解決する為の手段】
（イ）重量物による重力を手段として利用
（ロ）大重量の重量物を取付けても、全体としてその重量が均衡状態であれば回転が容易であり大回転体の軸を中心とする重量の均衡を手段として利用。
（ハ）大回転体の重量の均衡を保つ為、重量物の取付位置を、一本の軸を中心に回転する歯車又は小回転体とし、重量物の回転移動にかかわらず、その重力は常に一本の軸にのみかかり移動しないことを手段として利用。
（ニ）整合弾性体装置による釣合状態等を手段として利用。
【０００５】
【作用】
作動の際の必要動力を軽減する。
【０００６】
【実施例１】
図１、２、３、は請求項１の実施例である。歯車２は、装置により、重量物３の位置に応じ、回転の停止、始動が可能な機構である。
発電機５を回転させる軸に、自動着脱装置を設け、小歯車４の軸の停止が、発電機の回転に支障を来たさない機構とする。
【０００７】
【実施例２】
図４は緑、図５は円筒、之等の中を大回転体１が回転し、軸６と双方の支えにより、重量による支障を軽減する実施例を示す図である。
【０００８】
【実施例３】
図６、７、は請求項１の実施例であるが、図１、２、３、の場合よりも、更に歯車２を大に、小歯車４を小にする機構を示す実施例である。
【０００９】
【実施例４】
図８、９、１０、は請求項２の実施例である。小回転体１２の利用により、重量物３を、大回転体１の両側に設けられる様にし、歯車２を大に、小歯車４を小にし易くし、更に図１０は、図１、２、３、６、７、８、９、より、重量物３の数を、倍にした実施例である。
【０００１０】
【実施例５】
図１１、１２、１３、は請求項３の実施例である。符号１３の円筒は、図５の符号１０と異なり、大回転体と一体となった実施例である。
【０００１１】
【実施例６】
図１４は請求項４の実施例である。
【０００１２】
【実施例７】
図１５は請求項５の実施例である。
【０００１３】
【実施例８】
図１６は請求項６の実施例である。
【０００１４】
【実施例９】
図１７は、本発明を上下式発電機に利用した一例を示す実施例である。
【０００１５】
【発明の効果】
強動力とする為、重量大の重量物を設けても、均衡化により、上方に持上げる為の回転は容易であり、又大回転体は高速回転の必要もなく、更に重力は、地上であれば如何なる場所でも利用出来る等により、発電の為の必要動力を軽減し環境汚染防止に寄与する。
【図面の簡単な説明】
【図１、図２、図３】請求項１の発電装置
【図４、図５】大回転体の軸に代り、その重量を支える装置。
【図６、図７】請求項１の発電装置であるが、小歯車、引いては発電機の回転数を早くする為の装置図。
【図８、図９、図１０】請求項２の発電装置。
【図１１、図１２、図１３】請求項３の発電装置。
【図１４】請求項４の発電装置
【図１５】請求項５の発電装置
【図１６】請求項６の発電装置
【図１７】上下式発電機に本発明を利用した一例として、請求項１の装置を利用した発電装置。
【符号の説明】
１  大回転体
２  歯車
３  重量物
４  小歯車
５  発電機
６  大回転体軸
７  ４の軸により回転する大歯車
８  ７により回転する小歯車
９  大回転体が中で回転す縁
１０  大回転体が中で回転する円筒
１１  ２の歯車及び１２の小回転体の台
１２  小回転体
１３  大回転体１と一体になった円筒
１４  歯車軸の支え軸
１５  整合弾性体装置の取付軸
１６  大回転体の為のクランク用軸
１７  大回転体自体に設けた重量物
１８  上下式発電機のコイル
１９  上下式発電機の永久磁石
２０  円筒式の整合弾性体装置。
２１  クランク装置。
【図１】
2004320971.tif 000003
【図２】
2004320971.tif 000004
【図３】
2004320971.tif 000005
【図４】
2004320971.tif 000006
【図５】
2004320971.tif 000007
【図６】
2004320971.tif 000008
【図７】
2004320971.tif 000009
【図８】
2004320971.tif 000010
【図９】
2004320971.tif 000011
【図１０】
2004320971.tif 000012
【図１１】
2004320971.tif 000013
【図１２】
2004320971.tif 000014
【図１３】
2004320971.tif 000015
【図１４】
2004320971.tif 000016
【図１５】
2004320971.tif 000017
【図１６】
2004320971.tif 000018
【図１７】
2004320971.tif 000019